(57)【特許請求の範囲】
【請求項１】
印刷部に供給される用紙を収納する複数のシート収納部を有する印刷装置であって、
複数のシート収納部のうちの任意のシート収納部で構成されるシート収納部グループが生成されている他の印刷装置から、当該シート収納部グループを構成する各シート収納部に収納される用紙の情報である用紙情報を受信する受信手段と、
前記印刷装置が有する複数のシート収納部それぞれに収納される用紙の情報と、前記受信手段によって受信された用紙情報とに基づいて、前記印刷装置が有する複数のシート収納部のうちの任意のシート収納部を用いて前記他の印刷装置に生成されているシート収納部グループに対応するシート収納部グループを生成することが可能か否か判断する第１の判断手段と、
前記第１の判断手段によって生成することが可能であると判断された場合に、前記印刷装置が有する前記任意のシート収納部を用いて前記他の印刷装置に生成されているシート収納部グループに対応するシート収納部グループを生成する生成手段と、
前記第１の判断手段によって生成することが可能でないと判断された場合、前記印刷装置が有する複数のシート収納部グループのうち少なくとも一つのシート収納部グループについては前記他の印刷装置に生成されているシート収納部グループに対応するシート収納部グループが生成可能か否かを判断する第２の判断手段と、
を有することを特徴とする印刷装置。
【請求項２】
前記第２の判断手段によって、生成可能と判断された場合、生成可能なシート収納部グループに関する情報をユーザに通知する通知手段を更に有することを特徴とする請求項１記載の印刷装置。
【請求項３】
前記生成手段は、前記通知手段によって通知された情報に基づいてユーザによって選択されたシート収納部グループに関して、前記他の印刷装置に生成されているシート収納部グループに対応するシート収納部グループを生成することを特徴とする請求項２記載の印刷装置。
【請求項４】
通信回線上に接続された複数の印刷装置の中から前記他の印刷装置を選択する選択手段を更に有し、
前記受信手段は、前記選択手段によって選択された前記他の印刷装置から前記用紙情報を受信することを特徴とする請求項１乃至３の何れか一項に記載の印刷装置。
【請求項５】
前記用紙情報は、少なくとも用紙サイズを示す情報又は用紙タイプを示す情報を含むことを特徴とする請求項１乃至４の何れか一項に記載の印刷装置。
【請求項６】
前記受信手段は、前記用紙情報と、前記他の印刷装置においてシート収納部グループを構成する各シート収納部の識別情報とを受信することを特徴とする請求項１乃至５の何れか一項に記載の印刷装置。
【請求項７】
印刷部に供給される用紙を収納する複数のシート収納部を有する印刷装置の制御方法であって、
複数のシート収納部のうちの任意のシート収納部で構成されるシート収納部グループが生成されている他の印刷装置から、当該シート収納部グループを構成する各シート収納部に収納される用紙の情報である用紙情報を受信する受信ステップと、
前記印刷装置が有する複数のシート収納部それぞれに収納される用紙の情報と、前記受信ステップにおいて受信された用紙情報とに基づいて、前記印刷装置が有する複数のシート収納部のうちの任意のシート収納部を用いて前記他の印刷装置に生成されているシート収納部グループに対応するシート収納部グループを生成することが可能か否か判断する第１の判断ステップと、
前記第１の判断ステップにおいて生成することが可能であると判断された場合に、前記印刷装置が有する前記任意のシート収納部を用いて前記他の印刷装置に生成されているシート収納部グループに対応するシート収納部グループを生成する生成ステップと、
前記第１の判断ステップにおいて生成することが可能でないと判断された場合、前記印刷装置が有する複数のシート収納部グループのうち少なくとも一つのシート収納部グループについては前記他の印刷装置に生成されているシート収納部グループに対応するシート収納部グループが生成可能か否かを判断する第２の判断ステップと、
を有することを特徴とする制御方法。
【請求項８】
請求項７記載の制御方法の各ステップをコンピュータに実行させるためのコンピュータプログラム。
【発明の詳細な説明】
【技術分野】
【０００１】
本発明は、印刷部に供給される用紙を収納する複数のシート収納部を有する印刷装置、その制御方法、及びコンピュータプログラムに関する
【背景技術】
【０００２】
従来の印刷装置において、印刷部に供給される用紙を収納する複数のシート収納部を有し、それらのシート収納部のうち任意のシート収納部で構成されるシート収納部グループを生成して利用する方法があった（例えば、特許文献１参照）。シート収納部グループを生成することで、例えば、印刷に使用される用紙をグループ内のシート収納部にセットされた用紙に制限することができる。そのため不用意に意図しない用紙が使用されることがなくなり、用紙の管理が容易となった。また、印刷処理に使用するシート収納部を指定して実行された印刷ジョブにおいても、グループ内に限定した自動的なシート収納部の切り替えのみを許可することにより、複数のシート収納部を活用しつつ、ユーザが意図しない用紙の使用を制限した印刷が可能となる。これにより、一つのシート収納部に用紙が無くなっても、プリンタエンジンの動作を止めることなく別のシート収納部からの給紙が可能となった。
しかしこのシート収納部グループは、複数あるシート収納部のうちどのシート収納部を同じグループとするかの設定をあらかじめユーザが手動で設定しておく必要があり、印刷装置が複数存在する場合などには非常に手間がかかる作業であった。
このような問題に対して、シート収納部グループの生成を自動で行うことを可能とする印刷装置も提案されている（例えば、特許文献２参照）。この提案では、シート収納部に収納されている用紙の属性を取得し、同一の用紙サイズおよび用紙タイプが設定されているシート収納部を、自動的にグループ化することでシート収納部グループを生成している。
このように、従来技術では各印刷装置においてシート収納部グループを生成していた。
一方で、複数の印刷装置間で一方の印刷装置に対して行った設定を、他方の印刷装置にコピーするという技術が存在する。この技術を用いて、印刷装置に既に生成されたシート収納部グループの設定を他の印刷装置にコピーすることにより、複数の印刷装置に対してシート収納部グループを生成するのに要する手間を軽減させることができる。
【先行技術文献】
【特許文献】
【０００３】
【特許文献１】特開２００５−００８３６０
【特許文献２】特開２００９−２５６０７４
【発明の概要】
【発明が解決しようとする課題】
【０００４】
しかしながら、シート収納部グループの設定を他の印刷装置にコピーする場合は、以下のような問題が発生する。即ち、設定をそのまま他の印刷装置にコピーしたとしても、シート収納部に実際に収納されている用紙の状況によってはコピー元のシート収納部グループの設定とコピー先のシート収納部グループの設定とが同じ構成にならないことがある。
例えば、第一の印刷装置においてシート収納部１とシート収納部２がグループ化されてシート収納部グループが生成されており、両シート収納部共にＡ４サイズの用紙が収納されていたとする。このシート収納部グループの設定を第二の印刷装置にコピーして、第二の印刷装置においても、シート収納部１とシート収納部２をグループ化してシート収納部グループを生成する。このとき、第二の印刷装置においても第一の印刷装置と同様に、シート収納部１およびシート収納部２の両方にＡ４サイズの用紙が入っている場合は、第一の印刷装置と第二の印刷装置とで同じ構成のシート収納部グループとなるため問題ない。しかし、第二の印刷装置において、シート収納部１とシート収納部２の少なくとも何れか一方にＡ４サイズ以外の用紙が入っていた場合には、第一の印刷装置と第二の印刷装置とで異なる構成のシート収納部グループとなってしまう。この場合、第二の印刷装置は、ユーザの意図に反する給紙動作を行ってしまう可能性がある。
本発明は上記問題点に対してなされたものである。その目的は、シート収納部に収納される用紙の状況が異なる印刷装置間においても、コピー先の印刷装置においてコピー元の印刷装置のシート収納部グループに対応したシート収納部グループを生成できるようにすることである。
【課題を解決するための手段】
【０００５】
上記課題を解決するため、本発明に係る印刷装置は、印刷部に供給される用紙を収納する複数のシート収納部を有する印刷装置であって、複数のシート収納部のうちの任意のシート収納部で構成されるシート収納部グループが生成されている他の印刷装置から、当該シート収納部グループを構成する各シート収納部に収納される用紙の情報である用紙情報を受信する受信手段と、前記印刷装置が有する複数のシート収納部それぞれに収納される用紙の情報と、前記受信手段によって受信された用紙情報とに基づいて、前記印刷装置が有する複数のシート収納部のうちの任意のシート収納部を用いて前記他の印刷装置に生成されているシート収納部グループに対応するシート収納部グループを生成することが可能か否か判断する第１の判断手段と、前記第１の判断手段によって生成することが可能であると判断された場合に、前記印刷装置が有する前記任意のシート収納部を用いて前記他の印刷装置に生成されているシート収納部グループに対応するシート収納部グループを生成する生成手段と、前記第１の判断手段によって生成することが可能でないと判断された場合、前記印刷装置が有する複数のシート収納部グループのうち少なくとも一つのシート収納部グループについては前記他の印刷装置に生成されているシート収納部グループに対応するシート収納部グループが生成可能か否かを判断する第２の判断手段と、を有することを特徴とする。
【発明の効果】
【０００６】
本発明によれば、シート収納部に収納される用紙の状況が異なる印刷装置間においても、コピー先の印刷装置においてコピー元の印刷装置のシート収納部グループに対応したシート収納部グループを生成できるようになる。
【図面の簡単な説明】
【０００７】
【図１】本発明の実施例に係る印刷装置のハードウェア構成を表すブロック図である。
【図２】本発明の実施例に係る印刷装置のソフトウェアモジュール構成を表すブロック図である。
【図３】本発明の実施例に係るシート収納部グループの設定を行うメニュー画面の一例である。
【図４】本発明の実施例に係るシート収納部グループ設定を表す模式図である。
【図５】本発明の実施例に係るシート収納部グループ設定のコピー元印刷装置とシート収納部グループ設定のコピー先印刷の接続構成を表す模式図である。
【図６】本発明の実施例１に係るシート収納部グループ設定のコピー先印刷装置の動作を表すフローチャートである。
【図７】本発明の実施例に係るシート収納部グループ設定のコピー元印刷装置の動作を表すフローチャートである。
【図８】本発明の実施例に係るシート収納部グループ設定のコピー元印刷装置を指定するメニュー画面の一例を表した模式図である。
【図９】本発明の実施例１に係る印刷装置の動作を説明するためのシート収納部構成を表す図である。
【図１０】本発明の実施例２に係るシート収納部グループ設定のコピー先印刷装置の動作を表すフローチャートである。
【図１１】本発明の実施例２に係るメニュー画面の一例を表した模式図である。
【図１２】本発明の実施例２に係るメッセージ画面の一例を表した模式図である。
【図１３】本発明の実施例３に係るシート収納部グループ設定のコピー先印刷装置の動作を表すフローチャートである。
【図１４】本発明の実施例３に係るメニュー画面の一例を表した模式図である。
【発明を実施するための形態】
【０００８】
以下、本発明を実施するための最良の形態について図面を用いて説明する。
【実施例１】
【０００９】
図１は、本発明に係る印刷装置の一実施形態としてのハードウェア構成を表すブロック図である。１１０は印刷装置を表す。同図に示すように、本実施例に係る印刷装置１１０は、通信回線１０１に接続され外部機器と通信を行うことが可能である。尚、印刷装置１１０は、印刷機能を備える装置であり、複写機、複合機、ファクシミリ装置等の印刷機能を備えるあらゆる装置を含む。また、通信回線１０１は、ＬＡＮ，ＷＡＮ等のネットワークであってもよいし、ＵＳＢ等の所定のインターフェースであってもよい。また、有線／無線の何れであってもよい。コントローラ２００は、各種データ処理を行い、印刷装置の動作を制御する。操作パネル１２０は、タッチパネル方式でユーザからの各種操作を受け付けると共に各種情報を表示する。当然、タッチパネル方式ではない表示部やハードキーによって構成されていてもよい。給紙装置部１３０は、複数のシート収納部（例えばシート収納部１〜８）から構成される給紙装置である。印刷部としてのプリンタエンジン１４０は、イメージデータを印刷用紙に物理的に印刷する。なお１５０はプリンタエンジンによって印刷された印刷結果（用紙）を表す。
【００１０】
次にコントローラ２００の構成について説明する。Ｉ／Ｏ制御部１１１は、通信回線１０１との通信制御を行う。ＲＯＭ１１２は各種制御プログラム（例えば、後述するフローチャートを実行するためのプログラム等）を記憶する。ＲＡＭ１１３は、ＲＯＭ１１２に記憶された制御プログラムを読み出して記録する。ＣＰＵ１１４は、ＲＡＭ１１３に読み出された制御プログラムを実行し、画像信号や各種デバイスを統括的に制御する。ＨＤＤ１１５は、画像データやプリントデータなどの大容量のデータを一時的あるいは長期的に保持する目的で使用される。これらの各モジュールはそれぞれシステムバス１１６を介して互いに接続される。さらにシステムバス１１６はコントローラと印刷装置１１０内の各デバイスとを互いに接続している。なおＲＡＭ１１３はＣＰＵ１１４の主メモリ、ワークメモリとしても機能する。また制御プログラムおよびオペレーティングシステムはＲＯＭ１１２の他にもＨＤＤ１１５にも格納される。さらに、図示しないＮＶＲＡＭを有し、操作パネル１２０からの印刷装置モード設定情報を記憶するようにしてもよい。
【００１１】
給紙装置部１３０は複数のシート収納部から構成される。給紙装置１３０は、印刷装置本体にもともと具備されているシート収納部であってもよいし、オプションの外付けシート収納部や手差しシート収納部のようなシート収納部であってもよい。またその両方を含むものでもよい。本実施例ではシート収納部１３１〜シート収納部１３８（以後それぞれシート収納部１〜８と呼ぶ）までの合計８つのシート収納部が存在するものとする。各シート収納部には、印刷用紙を収納しておくことが可能である。そして各シート収納部では、収納された用紙の最上位の用紙一枚のみを分離しプリンタエンジン１４０へと搬送することが可能である。
【００１２】
図２は、印刷装置１１０のソフトウェアモジュール構成を示すブロック図である。これらのソフトウェアモジュールはコントローラボード２００に配置され、ＲＯＭ１１２もしくはＨＤＤ１１５に格納され、必要に応じてＲＡＭ１１３に読み出され、ＣＰＵ１１４によって実行される。
シート収納部グループ設定部２０１は、操作パネル１２０などにメニューを表示し、ユーザの所望するシート収納部グループに関する設定を受け付ける制御プログラムである。シート収納部情報取得部２０２は、印刷装置の各シート収納部に設定されている用紙サイズ、用紙タイプなどの用紙情報を取得する。シート収納部グループ化設定コピー部２０３は、外部の印刷装置に設定されたシート収納部グループに関する設定を、自印刷装置にコピーする。シート収納部グループ設定転送部２０４は、外部の印刷装置からの要求を受けて、自印刷装置のシート収納部グループ設定情報を外部の印刷装置に転送する。シート収納部グループ設定受信部２０５は、外部の印刷装置から転送されたシート収納部情報を受信する。
【００１３】
印刷データ解析部２０６は、受信した印刷ジョブを解析し、印刷ジョブに含まれる印刷設定に基づいて各種デバイスを制御する。ここで言う印刷設定とは主に、印刷に使用される用紙サイズ、用紙タイプ、シート収納部などの給紙に関する情報、片面／両面印刷に関する情報、ステープル、製本設定などのフィニッシング処理に関する情報等を指す。シート収納部グループ決定部２０７は、前記印刷データ解析部２０６によって解析された印刷設定から、印刷に使用されるシート収納部グループを決定する。印刷ジョブ中にあらかじめ使用するシート収納部グループの指定コマンドが含まれる場合は、そのシート収納部グループが選択される。印刷ジョブにシート収納部グループの指定コマンドが含まれない場合には、シート収納部グループ決定部２０７は、前記印刷データ解析部２０６によって解析された給紙に関する情報に基づき印刷に使用されるシート収納部グループを決定する。シート収納部選択手段２０８は、印刷ジョブに含まれる各印刷ページに対し、前記シート収納部グループ決定部２０７が決定したシート収納部グループに含まれるシート収納部から印刷に使用されるシート収納部を選択する。印刷データ展開部２０９は、印刷ジョブに含まれる印刷画像データをプリンタエンジン１４０で印刷可能なビットマップデータに展開する。通常印刷画像データはページ記述言語（ＰＤＬ）などで記述されるが、印刷ジョブによっては印刷画像データがあらかじめホストコンピュータなどでビットマップデータに展開されている場合もある。この場合印刷データ展開部２０９は、画像データをプリントエンジン１４０に対応した色空間に変換する色変換処理のみを行う。また印刷データ展開部２０９によって生成されたビットマップデータはＨＤＤ１１５などの記憶装置に一旦保存される。ビットマップデータ転送部２１０は、給紙装置部１３０からプリントエンジン１４０に印刷用紙が搬送されるタイミングにあわせて、プリントエンジン１４０に前記印刷データ展開部２０９により生成されたビットマップデータを転送する。
【００１４】
図３は本実施例における印刷システムにおいて、ユーザがシート収納部グループに関する設定を行うメニュー画面の一例である。
３００は操作パネル１２０に表示されるメニュー画面全体を現す。メニュー画面３００は、シート収納部グループ設定部２０１によって生成されたものである。３０１は印刷装置１１０を表したイメージ画像である。ユーザはイメージ画像３０１を参照することで、各シート収納部の物理的配置を確認することが可能である。イメージ画像３０１ではシート収納部１〜シート収納部８が、それぞれ（１）〜（８）という番号を付与され表示されている様子が示されている。３１１はシート収納部１（本メニュー画面では（１）と表示される）に設定された用紙サイズ、用紙タイプ、および収容されている用紙の残量などの情報を表す表示部である。収容されている用紙の残量は、その残量に応じたアイコンを表示することでユーザに通知される。シート収納部２〜シート収納部８においても同様に、３１２〜３１８に情報が表示される。
【００１５】
３２１はシート収納部１（本メニュー画面では（１）と表示される）に割り当てられたシート収納部グループ番号が表示されるシート収納部グループ番号表示部である。メニュー画面３００ではシート収納部１がシート収納部グループ「１」に属するように設定されている様子を示している。シート収納部２〜シート収納部８においても同様に、３２２〜３２８にシート収納部グループ番号が表示される。シート収納部グループ番号表示部は、操作部１２０上でユーザにより選択されると、現在設定されているシート収納部グループの設定を変更できるように、ドロップダウンリスト方式で選択肢を表示する。３２８はシート収納部８に対するシート収納部グループ番号表示部が選択され、ドロップダウンリストが展開された状態を表す。３２８で図示されるように、ドロップダウンリストではシート収納部グループ「１」、「２」、「３」の内、いずれか１つに変更することが可能である。ここで「１」、「２」、「３」はシート収納部グループ番号を表し、おなじシート収納部グループ番号が設定されたシート収納部は同じシート収納部グループに属するものとして設定される。尚、設定可能なグループの数は３つに限らない。
【００１６】
ＯＫボタン３３０は、押下されるとメニュー画面３００の現在の設定を確定し、メニュー画面３００を閉じる。キャンセルボタン３３１は、押下されるとメニュー画面３００で設定された設定変更をキャンセルし画面を閉じる。キャンセルされた場合は、シート収納部グループに関する設定は、以前の設定が引き続き採用される。このようにしてシート収納部グループに関する設定を設定・変更することが可能である。
【００１７】
シート収納部グループ設定部２０１よって確定された設定は、必要に応じてＣＰＵ１１４によって参照可能となるよう、ＲＡＭ１１３やＨＤＤ１１５あるいはＮＶＲＡＭなどの記憶装置に適宜格納される。図４は記憶装置に格納されたシート収納部グループ設定の一例を表す表である。列４０１はシート収納部を識別するための識別情報であり、シート収納部番号を表す。列４０２・列４０３はそれぞれ、各シート収納部に設定されている用紙サイズ・用紙タイプを表す。これらの情報を用紙情報と呼ぶが、用紙情報には、用紙サイズ・用紙タイプ以外の情報が含まれていても構わない。列４０４は各シート収納部に設定されているシート収納部グループ番号を表す。
【００１８】
図４では、シート収納部グループ１にシート収納部１／シート収納部２／シート収納部３、シート収納部グループ２にシート収納部４／シート収納部５、シート収納部グループ３にシート収納部６／シート収納部７／シート収納部８が設定されている様子を表す。尚、本実施例では、全てのシート収納部グループそれぞれは複数のシート収納部で構成されているが、一つのシート収納部のみで一つのシート収納部グループを構成しても構わない。即ち、一つのシート収納部グループは少なくとも一つ以上のシート収納部で構成される。
【００１９】
本実施例では、通信回線上に接続された２台の印刷装置間で一方の印刷装置に設定されているシート収納部グループ設定を他方の印刷装置にコピーする例について説明する。図５はシート収納部グループ設定のコピー元となる印刷装置とコピー先となる印刷装置との２台の印刷装置の関係を表す模式図である。図５では、印刷装置５０１と印刷装置５０２とが通信回線１０１を通じて接続されている様子を表す。本実施例では印刷装置５０２から印刷装置５０１へシート収納部グループ化設定をコピーする例を説明するが、コピー元の印刷装置とコピー先の印刷装置とが入れ替わっても問題ない。即ち、印刷装置は、シート収納部グループ設定のコピー元としてもコピー先としてもどちらでも動作可能になっていてもよい。また、通信回線上には印刷装置５０１、印刷装置５０２以外にも複数の印刷装置やＰＣ等の情報処理装置が接続されており（不図示）、これらは互いに通信可能である。なお、以下の説明では、印刷装置５０１および印刷装置５０２のハードウェア構成・ソフトウェア構成は、図１・図２で説明したものと同一であるものとし、同じ符号を用いて説明していく。
【００２０】
図６はシート収納部グループ設定のコピー先となる印刷装置５０１において、シート収納部グループ設定をコピーする際の動作を表すフローチャートである。図６の各ステップは、印刷装置５０１のＲＯＭ１１２やＨＤＤ１１５に格納されてＲＡＭ１１３に読みだされた制御プログラム（例えば図２の各ソフトウェアモジュール）を、ＣＰＵ１１４が処理することによって実行される。
印刷装置５０１では、まずシート収納部グループ設定コピー部２０３が、コピー元となる印刷装置の指定を受け付ける（Ｓ６０１）。印刷装置の指定は、印刷５０１の操作パネル上に図８に示すようなダイアログを表示することで、ユーザによって指定される。ここでは、印刷装置５０２がコピー元印刷装置として選択されたとして説明を進める。
【００２１】
次に印刷装置５０１のシート収納部グループ設定コピー部２０３は、コピー元印刷装置である印刷装置５０２にシート収納部グループ設定を転送するよう要求する（Ｓ６０２）。シート収納部グループ設定を転送するよう要求を受けた印刷装置５０２の動作は、図７を用いて後に説明する。次に印刷装置５０１のシート収納部グループ設定受信部２０５が、印刷装置５０２から転送されたシート収納部グループ設定を受信する（Ｓ６０３）。ここで、コピー元印刷装置である印刷装置５０２において、シート収納部グループが設定されているかどうかを判断する（Ｓ６０４）。シート収納部グループ設定がなされていない場合には（Ｓ６０４−ＮＯ）、コピーすべきシート収納部グループ設定がないため、そのままシート収納部グループのコピー処理を終了する。このとき、操作パネル上に、シート収納部グループ設定のコピーがされなかった旨のアラート表示を行い、ユーザに通知するようにしてもよい。一方、コピー元印刷装置である印刷装置５０２においてシート収納部グループ設定が存在する場合には（Ｓ６０４−ＹＥＳ）、印刷装置５０１はシート収納部情報取得部２０２により、自印刷装置のシート収納部情報を取得する（Ｓ６０５）。ここで取得されるシート収納部情報とは、各シート収納部に設定されている用紙サイズ、用紙タイプなどの用紙情報であり、図４の少なくとも４０１，４０２，４０３の部分の情報である。次にＳ６０３で受信した印刷装置５０２のシート収納部グループ設定と、Ｓ６０５で取得した自印刷装置のシート収納部情報とから、印刷装置５０１と印刷装置５０２とのシート収納部構成を比較する（Ｓ６０６）。これにより、印刷装置５０１と印刷装置５０２とのシート収納部構成が同じであるか否かを判断する。印刷装置５０１と印刷装置５０２のシート収納部構成が同じであった場合には（Ｓ６０６−ＹＥＳ）、印刷装置５０２のシート収納部グループ設定をそのまま印刷装置５０１にコピーし（Ｓ６０７）、処理を終了する。ここで、シート収納部構成がコピーされたことを示す情報を印刷装置５０１の操作パネルに表示してもよい。尚、シート収納部構成が同じというのは、同じ番号のシート収納部に収容されている用紙情報（例えば用紙のサイズと用紙タイプ）がすべて同じであることを意味する。ただし、シート収納部構成が同じと判断する基準をユーザが任意に設定できるようにしても構わない。例えば、用紙情報の全てが同じである場合に限らず、「少なくとも何れか一つが同じである場合に同じと判断する」、や、「少なくとも用紙サイズが同じであれば同じと判断する」等の基準をユーザが設定できるようにしてもよい。
【００２２】
印刷装置５０１と印刷装置５０２とで、同じ番号のシート収納部に異なる用紙情報の用紙が収納されているシート収納部が一つでも存在する場合には（Ｓ６０６−ＮＯ）、Ｓ６０８に進む。Ｓ６０８では、印刷装置５０１において、印刷装置５０２と同じ構成のシート収納部グループを生成可能かどうかを判断する。ここで同じ構成のシート収納部グループとは、シート収納部グループに属するシート収納部に収容される用紙の用紙情報が互いに同じであることを意味する。このとき、シート収納部番号は必ずしも同じである必要はない点が重要である。例えば印刷装置５０２におけるシート収納部グループ設定が図４に示したものであったとする。この場合、印刷装置５０１が同じ構成のシート収納部グループを作成するためには、Ａ４・普通紙が収納されたシート収納部が３段、Ａ３・厚紙が収納されたものが２段、ＬＴＲ・普通紙が収納されたものが１段、ＬＴＲ・コート紙が収納されたものが２段あればよい。そうすれば印刷装置５０１に、図４に示されたシート収納部グループ設定と同じ構成のシート収納部グループ１〜３を生成することが可能である。
【００２３】
印刷装置５０１において、印刷装置５０２と同じ構成のシート収納部グループを作成できない場合（Ｓ６０８−ＮＯ）、印刷装置５０１はシート収納部グループ設定部２０１を用いてユーザからの手動によるシート収納部グループ設定を受け付ける（Ｓ６０９）。一方Ｓ６０８で、印刷装置５０１において印刷装置５０２と同じ構成のシート収納部グループを生成可能である場合（Ｓ６０８−ＹＥＳ）、シート収納部グループ設定の自動コピーを行う。ここで自動コピーとは、シート収納部グループに含まれるシート収納部に収容される用紙構成が同一になるようにシート収納部グループを生成することで、シート収納部グループ設定をコピーすることである。まず印刷装置５０２のシート収納部グループのうちシート収納部グループ１から、シート収納部構成が同一になるように印刷装置５０１内にシート収納部グループを作成する（Ｓ６１０）。まだコピーされていないシート収納部グループが残っている場合は（Ｓ６１１−ＮＯ）、Ｓ６１０に戻り、残りのシート収納部グループの自動コピーを続ける。こうして全シート収納部グループが自動コピーされたなら（Ｓ６１１−ＹＥＳ）、処理を終了する。ここで、シート収納部構成がコピーされたことを示す情報を印刷装置５０１の操作パネルに表示してもよい。
【００２４】
図７はシート収納部グループ設定のコピー元となる印刷装置５０２において、印刷装置５０１からシート収納部グループ設定の転送要求を受信したときの動作を表すフローチャートである。図７の各ステップは、印刷装置５０２のＲＯＭ１１２やＨＤＤ１１５に格納されてＲＡＭ１１３に読みだされた制御プログラム（例えば図２の各ソフトウェアモジュール）を、ＣＰＵ１１４が処理することによって実行される。特に本処理フローは図６におけるＳ６０２の後に処理される。
印刷装置５０２は、シート収納部グループ設定の転送要求を受信すると、ＲＡＭ１１３やＨＤＤ１１５あるいはＮＶＲＡＭなどに格納されているシート収納部グループ設定を読み出す。そしてシート収納部グループ設定転送部２０４を用いて、印刷装置５０１に転送する（Ｓ７０１）。印刷装置５０１では、Ｓ６０３でシート収納部グループ設定受信部２０５が、印刷装置５０２から転送されたシート収納部グループ設定を受け取り、Ｓ６０４以降の処理を続けることになる。
【００２５】
図８は図６のＳ６０１において、印刷装置５０１がシート収納部グループ化設定のコピー元となる印刷装置を指定するために操作パネル上に表示するメニュー画面の一例である。この画面は、ユーザによって印刷装置５０１に対して所定の操作がされたことに応じて表示される。
８００は操作パネル１２０に表示されるメニュー画面全体を現す。８０１はテキストボックスであり、ユーザは操作パネル１２０を操作してテキストボックス８０１に所望する印刷装置を特定するための情報を入力することが可能である。ここでは印刷装置のＩＰアドレスや印刷装置名称を用いて指定する例を示しているが、通信回線１０１上に接続されている複数の印刷装置を検索して一覧表示し、その一覧からユーザが選択可能になるようにしてもよい。又は予め印刷装置５０１に登録されている印刷装置を表示するようにしてもよい。ＯＫボタン８１０は、押下されるとメニュー画面８００の現在の指定を確定し、メニュー画面８００を閉じる。このようにして印刷装置５０１は、シート収納部グループ設定のコピー元となる印刷装置の指定をユーザから受け付けることが可能である。
【００２６】
以下、図６で説明したフローチャートに基づく処理を、図９を使って具体例（図９（ａ）〜図９（ｃ）の３つの例）をあげて補足説明する。図９の説明では、前提として、Ｓ６０３において受信した印刷装置５０２のシート収納部グループ設定は、図４に示されたものであるとする。
【００２７】
図９（ａ）において、列９０１は印刷装置５０１のシート収納部番号を表す。列９０２・列９０３はそれぞれ、印刷装置５０１において各シート収納部に設定されている用紙サイズ・用紙タイプを表す。列９０４は印刷装置５０１において、印刷装置５０２のシート収納部グループ設定、ここでは図４の設定をコピーした結果、各シート収納部に設定されているシート収納部グループ番号を表す。列９０４に示したシート収納部グループ番号が選択された経緯を、図６で示したステップを用いて説明していく。Ｓ６０６では、図４に示した印刷装置５０２のシート収納部構成と、図９（ａ）に示される印刷装置５０１のシート収納部構成が同じであるためＳ６０６−ＹＥＳに進む。次にＳ６０７において、印刷装置５０２のシート収納部グループ設定がそのままコピーされる。その結果、印刷装置５０１におけるシート収納部グループ設定は、列９０４に示したようになる。
【００２８】
図９（ｂ）において、列９１１は印刷装置５０１のシート収納部番号を表す。列９１２・列９１３はそれぞれ、印刷装置５０１において各シート収納部に設定されている用紙サイズ・用紙タイプを表す。列９１４は印刷装置５０１において、印刷装置５０２のシート収納部グループ設定、ここでは図４の設定をコピーした結果、各シート収納部に設定されているシート収納部グループ番号を表す。列９１４に示したシート収納部グループ設定となった経緯を、図６で示したステップを用いて説明していく。Ｓ６０６では、図４に示した印刷装置５０２のシート収納部構成と、図９（ｂ）に示される印刷装置５０１のシート収納部構成が異なるためＳ６０６−ＮＯに進む。次にＳ６０８で印刷装置５０１において、印刷装置５０２と同じ構成のシート収納部グループを作成できるかどうかを判断する。図９（ｂ）に示されるように、印刷装置５０１のシート収納部構成はＡ４・普通紙が３段、Ａ４・厚紙が１段、Ａ３・普通紙が１段、Ａ３・厚紙が２段、ＬＴＲ・コート紙が１段であり、印刷装置５０２と同様の構成のシート収納部グループは作成できない。そのためＳ６０８において、Ｓ６０８−ＮＯに進む。次にＳ６０９において、シート収納部グループ設定部２０１を用いてユーザからの手動によるシート収納部グループ設定を受け付け、その結果が印刷装置５０１におけるシート収納部グループ化設定として適用される。
【００２９】
図９（ｃ）において、列９２１は印刷装置５０１のシート収納部番号を表す。列９２２・列９２３はそれぞれ、印刷装置５０１において各シート収納部に設定されている用紙サイズ・用紙タイプを表す。列９２４は印刷装置５０１において、印刷装置５０２のシート収納部グループ設定、ここでは図４の設定をコピーした結果、各シート収納部に設定されているシート収納部グループ番号を表す。列９２４に示したシート収納部グループ番号が選択された経緯を、図６で示したステップを用いて説明していく。Ｓ６０６では、図４に示した印刷装置５０２のシート収納部構成と、図９（ｃ）に示される印刷装置５０１のシート収納部構成が異なるためＳ６０６−ＮＯに進む。次にＳ６０８で印刷装置５０１において、印刷装置５０２と同じ構成のシート収納部グループを作成できるかどうかを判断する。図９（ｃ）に示されるように、印刷装置５０１のシート収納部構成は、Ａ４・普通紙が３段、Ａ３・厚紙が２段、ＬＴＲ・普通紙が１段、ＬＴＲ・コート紙が２段となり、印刷装置５０２のシート収納部構成と同じである。そのためＳ６０８で、印刷装置５０１において印刷装置５０２と同じ構成のシート収納部グループを作成可能と判断され（Ｓ６０８−ＹＥＳ）、シート収納部グループの自動コピーが行われる。次にＳ６１０に進み、まず印刷装置５０２のシート収納部グループ１がコピーされる。即ち、シート収納部グループ１と同じシート収納部構成になるようにＡ４・普通紙が収容されたシート収納部１・シート収納部２・シート収納部５が印刷装置５０１におけるシート収納部グループ１に設定される。次に印刷装置５０２のシート収納部グループ２のコピーに移る。ここでは、シート収納部グループ２と同じシート収納部構成になるようにＡ３・厚紙が収容されたシート収納部４・シート収納部７が印刷装置５０１におけるシート収納部グループ２に設定される。次に印刷装置５０２のシート収納部グループ３のコピーに移る。ここでは、シート収納部グループ３と同じシート収納部構成になるようにＬＴＲ・普通紙が収容されたシート収納部６と、ＬＴＲ・コート紙が収容されたシート収納部３・シート収納部８が印刷装置５０１におけるシート収納部グループ３に設定される。その結果、印刷装置５０１におけるシート収納部グループ設定は、列９２４に示したようになる。
【００３０】
本実施例では、以上のような処理に従って、印刷装置間でのシート収納部グループ設定のコピーが行われる。このような処理により、コピー元印刷装置とコピー先の印刷装置とでシート収納部の配置が異なる場合でも、自動的にシート収納部グループに属するシート収納部の用紙の構成が同じになるように、シート収納部グループ設定をコピーすることが可能となる。このことにより、複数の印刷装置があった場合に、シート収納部グループの設定をする手間を省くことができるため、利便性が向上する。
【実施例２】
【００３１】
第１実施例では、図６のＳ６０８で印刷装置５０１において印刷装置５０２と同じ構成のシート収納部グループを作成できないと判断された場合、シート収納部グループ設定部２０１を用いてユーザからの手動によるシート収納部グループ化設定を受け付けた。
【００３２】
対して本実施例では、シート収納部グループ設定のコピー先印刷装置において、コピー元印刷装置と同じ構成のシート収納部グループを作成できないと判断された場合でも、コピー元のシート収納部グループ設定をコピー先に強制的にコピーすることを可能とする。また、シート収納部グループ設定が強制的にコピーされた結果、コピー元の印刷装置と異なるシート収納部構成となってしまうシート収納部に関しては、ユーザがどのシート収納部をどの用紙に交換すればよいかを一目で判断できるように通知する。
【００３３】
本実施例では、第１実施例と異なる部分を説明し、同じ構成のものについては同一の符号を用いて説明する。なお第２実施例に係る印刷装置のハードウェア構成およびソフトウェアモジュール構成はそれぞれ第１実施例の図１、図２で説明したものと同様である。また本実施例でも、図５にて説明した例と同様に、印刷装置５０２から印刷装置５０１へシート収納部グループ設定をコピーする際の処理の流れを説明する。
【００３４】
図１０はシート収納部グループ設定のコピー先となる印刷装置５０１において、シート収納部グループ設定をコピーする際の動作を表すフローチャートである。図１０の各ステップは、印刷装置５０１のＲＯＭ１１２やＨＤＤ１１５に格納されてＲＡＭ１１３に読みだされた制御プログラム（例えば図２の各ソフトウェアモジュール）を、ＣＰＵ１１４が処理することによって実行される。
図１０のＳ６０１からＳ６１１までのステップは、図６のＳ６０１からＳ６１１までのステップと同様であるので説明を省略する。
【００３５】
本フローではＳ６０８で、印刷装置５０１において印刷装置５０２と同じ構成のシート収納部グループを作成できないと判断された場合（Ｓ６０８−ＮＯ）、Ｓ１００１に進む。Ｓ１００１では、印刷装置５０１のシート収納部グループ設定コピー部２０３が、ユーザに対し、印刷装置５０２のシート収納部グループ設定を強制的にコピーするかどうか選択させる。そして、印刷装置５０２のシート収納部グループ設定を印刷装置５０１へ強制的にコピーすることがユーザによって選択されたかどうかを判断する。強制的にコピーするかどうかの選択は、図１１に示すようなダイアログを印刷装置５０１の操作パネルに表示することで、ユーザよって行われる。強制的にコピーしないことをユーザが選択した場合は（Ｓ１００１−ＮＯ）、印刷装置５０１はシート収納部グループ設定部２０１を用いてユーザからの手動によるシート収納部グループ設定を受け付ける（Ｓ６０９）。一方、強制的にコピーすることをユーザが選択した場合は（Ｓ１００１−ＹＥＳ）、印刷装置５０２のシート収納部グループ設定を印刷装置５０１にそのままコピーする（Ｓ１００２）。次に、シート収納部グループ設定コピー部２０３は、操作パネル１２０に図１２に示すような画面を表示し、必要に応じてシート収納部に収容されている用紙を交換するようにユーザに通知し（Ｓ１００３）、処理を終了する。
【００３６】
図１１はＳ１００１において、印刷装置５０１がユーザに対し印刷装置５０２のシート収納部グループ設定を強制的にコピーするかどうか選択させるために表示するメニュー画面の一例である。
１１００は操作パネル１２０に表示されるメニュー画面全体を現す。ユーザは、強制的にコピーする場合はボタン１１１０を押下し、強制的にコピーしない場合はボタン１１１１を押下する。このようにして、印刷装置５０１は、シート収納部グループ設定の強制的なコピーをするかどうかの指示を受け付けることが可能である。
【００３７】
図１２はＳ１００３において、ユーザに対して表示されるメッセージ画面の一例である。１２００は操作パネル１２０に表示されるメッセージ画面全体を現す。図１２では、印刷装置５０２のシート収納部グループ設定が、図４に示されたものと同一の設定であり、かつ印刷装置５０１のシート収納部情報が、図９（ｂ）の９１１〜９１３に示したものと同一であった場合の例を示している。１２０１はユーザに対して通知されるメッセージを表す。メッセージ１２０１では、印刷装置５０１においてシート収納部４・シート収納部６・シート収納部８が、印刷装置５０２のシート収納部構成と異なることを通知している。表１２０２は、印刷装置５０２のシート収納部グループ設定を表し、表１２０３は印刷装置５０１のシート収納部グループ設定を表す。表１２０３において、シート収納部４・シート収納部６・シート収納部８はハイライト表示され、印刷装置５０２のシート収納部構成と異なることを通知している。ＯＫボタン１２１０が押下されるとメッセージ画面１２００を閉じる。
【００３８】
このようにメッセージ画面を表示することにより、シート収納部グループ設定が強制的にコピーされた結果、コピー元の印刷装置と異なるシート収納部構成となってしまったシート収納部を、ユーザに通知することが可能である。尚、コピー元の印刷装置と異なるシート収納部構成となってしまったシート収納部の通知の仕方としては、図１２のハイライト表示に限らず、あらゆる変形が可能である。
【００３９】
以上説明したように実施例２によれば、シート収納部グループ設定のコピー先印刷装置においてコピー元印刷装置と同じ構成のシート収納部グループを作成できないと判断された場合でも、コピー元のシート収納部グループ設定を強制的にコピーすることができる。またシート収納部グループ設定が強制的にコピーされた結果、コピー元の印刷装置と異なるシート収納部構成となってしまったシート収納部をユーザに通知することが可能である。これによりユーザはどのシート収納部をどの用紙に交換すればよいかを一目で判断できるようになり、利便性が更に向上する。
【実施例３】
【００４０】
第１実施例では、シート収納部グループ設定のコピー先印刷装置において、コピー元印刷装置と同じ構成のシート収納部グループを作成できないと判断された場合、ユーザからの手動によるシート収納部グループ設定を受け付けた。しかしこの場合でも、コピー元印刷装置の複数のシート収納部グループのうちいくつかはコピー可能である場合が存在する。そこで本実施例では、コピー先印刷装置において、コピー元印刷装置と同じ構成のシート収納部グループを作成できないと判断された場合でも、コピー可能な一部のシート収納部グループ設定をコピーすることを可能とした例について説明する。
【００４１】
本実施例では、第１実施例と異なる部分を説明し、同じ構成のものについては同一の符号を用いて説明する。なお第３実施例に係る印刷装置のハードウェア構成およびソフトウェアモジュール構成はそれぞれ第１実施例の図１、図２で説明したものと同様である。また本実施例でも、図５にて説明した例と同様に、印刷装置５０２から印刷装置５０１へシート収納部グループ設定をコピーする際の処理の流れを説明する。
【００４２】
図１３はシート収納部グループ設定のコピー先となる印刷装置５０１において、シート収納部グループ設定をコピーする際の動作を表すフローチャートである。図１３の各ステップは、印刷装置５０１のＲＯＭ１１２やＨＤＤ１１５に格納されてＲＡＭ１１３に読みだされた制御プログラム（例えば図２の各ソフトウェアモジュール）を、ＣＰＵ１１４が処理することによって実行される。
図１３のＳ６０１からＳ６１１までのステップは、図６のＳ６０１からＳ６１１までのステップと同様であるので説明を省略する。
【００４３】
本フローではＳ６０８で、印刷装置５０１において印刷装置５０２と同じ構成のシート収納部グループを作成できないと判断された場合（Ｓ６０８−ＮＯ）、Ｓ１３０１に進む。Ｓ１３０１では、印刷装置５０２に設定されたシート収納部グループのうち、印刷装置５０１で同じ構成のシート収納部グループを生成できるシート収納部グループが存在するかどうかを確認する（Ｓ１３０１）。Ｓ１３０１において、コピー可能なシート収納部グループがないと判断された場合には（Ｓ１３０１−ＮＯ）、印刷装置５０１はシート収納部グループ設定部２０１を用いてユーザからの手動によるシート収納部グループ化設定を受け付ける（Ｓ６０９）。一方、Ｓ１３０１において、コピー可能なシート収納部グループがあると判断された場合には（Ｓ１３０１−ＹＥＳ）、ユーザに対し、それらのシート収納部グループのうちコピーするシート収納部グループの選択を受け付ける（Ｓ１３０２）。シート収納部グループの選択は、印刷装置５０１の操作パネルに図１４に示すようなダイアログを表示することで、ユーザよって選択される。
【００４４】
Ｓ１３０２において、ユーザにより、コピーするシート収納部グループが選択されたら、シート収納部グループ設定コピー部２０３は、選択されたシート収納部グループとシート収納部構成が同一になるようにシート収納部グループを作成する（Ｓ１３０３）。選択されたシート収納部グループのうち、まだコピーされていないシート収納部グループが残っている場合は（Ｓ１３０４−ＮＯ）、Ｓ１３０３に戻り、残りのシート収納部グループのコピーを続ける。こうして選択された全シート収納部グループが自動コピーされたなら（Ｓ１３０４−ＹＥＳ）、処理を終了する。
【００４５】
図１４はＳ１３０２において、印刷装置５０１がユーザに対し、印刷装置５０２から印刷装置５０１にコピーするシート収納部グループの選択指示を受け付けるために、操作パネルに表示するメニュー画面の一例である。１４００は操作パネル１２０に表示されるメニュー画面全体を現す。図１４では、印刷装置５０２のシート収納部グループ設定が、図４に示されたものと同一の設定であり、印刷装置５０１のシート収納部設定情報が、図９（ｂ）の９１１〜９１３に示したものと同一であった場合の例を示している。１４０１はユーザに対して通知されるメッセージを表す。列１４０２は印刷装置５０２に設定されたシート収納部グループのうち、印刷装置５０１にコピー可能なシート収納部グループを表示している。図１４ではシート収納部グループ１およびシート収納部グループ２がコピー可能なシート収納部グループとして表示されている。このことから、シート収納部グループ３は印刷装置５０１のシート収納部構成によりコピー不可能であることが分かる。列１４０３は列１４０２で表示されたシート収納部グループに対応して、印刷装置５０１で生成されるシート収納部グループを表している。図１４ではシート収納部グループ１が印刷装置５０１にコピーされた場合、シート収納部１・シート収納部２・シート収納部３がシート収納部グループとしてグループ化されることが表されている。また同様にシート収納部グループ２が印刷装置５０１にコピーされた場合、シート収納部６・シート収納部８がシート収納部グループとしてグループ化されることが表されている。列１４０４には、それぞれのシート収納部グループ設定に対して、それを印刷装置５０１にコピーするかどうかを指定するためのチェックボックスが表示される。ユーザはこのチェックボックスをチェックすることでシート収納部グループをコピー対象として選択することできる。ＯＫボタン１４１０は、押下されるとメニュー画面１４００の現在の設定を確定し、メニュー画面１４００を閉じる。尚、図１４の画面は一例にすぎず、コピー可能なシート収納部グループを識別可能にし、又はコピー不可能なシート収納部グループを識別可能にし、コピーするシート収納部グループを選択可能な画面であれば、あらゆる変形が可能である。
【００４６】
このように実施例３によれば、複数のシート収納部グループのうちのコピー可能な一部のシート収納部グループ設定を選択的にコピーすることが可能となるため、ユーザの自由度が増し、利便性が更に向上する。
【００４７】
［その他の実施例］
上記実施例の説明では、コピーすべきシート収納部グループ設定を、コピー先の印刷装置からの要求に応答してコピー元の印刷装置が送信する構成とした。即ち、図８の画面を用いて、コピー先の印刷装置からのＰｕｌｌ型の配信を想定していた。しかしこれとは逆に、コピー元の印刷装置からコピー先の印刷装置を選択して、当該選択されたコピー先の印刷装置へシート収納部グループ設定を送信する構成としてもよい。即ち、コピー元の印刷装置にシート収納部グループ設定の送信先の装置を選択するための画面を表示し、ユーザが任意にコピー先の印刷装置を選択できるようにしてもよい。
【００４８】
更にその場合に、図５のような１対１の関係でのシート収納部グループ設定のコピーではなく、コピー元の１台の印刷装置から、コピー先の印刷装置として複数台の印刷装置を選択できるようにしてもよい。そして、複数台の印刷装置に対して一括でシート収納部グループ設定を送信してコピーさせるようにしてもよい。これによりユーザの作業の手間は更に軽減されることになる。
【００４９】
また上記実施例の説明では、シート収納部グループ設定を送信する装置は印刷装置であったが、シート収納部グループ設定をサーバ等の情報処理装置に保持させ、このサーバから任意の印刷装置に対してシート収納部グループ設定を送信するようにしてもよい。即ち、上記実施例において、印刷装置対印刷装置の関係であったものを、サーバ等の情報処理装置対印刷装置の関係としても同様に実施可能である。
【００５０】
また、シート収納部のグループ化に加えて、どのシート収納部グループにも属する特別シート収納部を設定できるようにしてもよい。そのような特別シート収納部が設定されていた場合に、特別シート収納部設定もシート収納部グループ設定に含めてコピー対象とするかどうかをユーザが任意に選択できるようにしてもよい。
【００５１】
尚、上記実施例では、コピー元の印刷装置とコピー先の印刷装置において、シート収納部の数は同一であるものとして説明したが、印刷装置間でシート収納部の数が異なっていてもよい。特に前記第３実施例で説明した方法によれば、シート収納部グループ設定のうち一部をコピーすることも可能であるため、シート収納部の数が異なっていても柔軟に対応することが可能である。
【００５２】
また、上記実施例において、シート収納部グループ設定をコピーするとは、コピー先の情報をコピー元の情報で上書きするものに限らず、コピー先の古い情報は保持したまま、コピー元の情報を使用する情報（有効な情報）として保持するといった管理方法も含む。
【００５３】
また、上記実施例は互いに任意に組み合わせることが可能である。例えば、図６、図１０、図１３のフローチャートによる動作を、一つの印刷装置において実行するように構成することも可能である。
【００５４】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５５】
１１０  印刷装置
１１１  Ｉ／Ｏ制御部
１１２  ＲＯＭ
１１３  ＲＡＭ
１１４  ＣＰＵ
１１５  ＨＤＤ
１１６  システムバス
１２０  操作パネル
１３０  給紙装置部
【図１】
0005783778.tif 000002
【図２】
0005783778.tif 000003
【図３】
0005783778.tif 000004
【図４】
0005783778.tif 000005
【図５】
0005783778.tif 000006
【図６】
0005783778.tif 000007
【図７】
0005783778.tif 000008
【図８】
0005783778.tif 000009
【図９】
0005783778.tif 000010
【図１０】
0005783778.tif 000011
【図１１】
0005783778.tif 000012
【図１２】
0005783778.tif 000013
【図１３】
0005783778.tif 000014
【図１４】
0005783778.tif 000015